(57)【特許請求の範囲】
【請求項１】
ユーザから文書中の語句の指定を受け付ける語句指定手段と、
前記語句指定手段により指定された語句の類語情報を、分類構造のそれぞれ異なる類語辞書を使用して検索する第１の検索手段と、
前記指定された語句と前記類語情報とに付加するタグの指定を受け付け、ユーザ別のタグ定義ファイルとして保持する保持手段と、
ユーザからの検索要求に応じて、前記文書、該ユーザの指定した文書、またはデータベースに保存される文書から、該ユーザ用の前記タグ定義ファイルに保持された語句または類語を検索する第２の検索手段と、
前記第２の検索手段によって検索された語句または類語に対して、該ユーザ用の前記タグ定義ファイルによって指定されるタグを付加したタグ付け文書を生成するタグ付け文書生成手段と、
を具備することを特徴とする文書サーバ。
【請求項２】
前記タグ定義ファイルは、前記第１の検索手段により検索された類語情報の中から前記第２の検索手段での検索条件とする語の選択を受け付け、選択された語のＯＲ集合を検索するか、ＡＮＤ集合を検索するか、或いは個別に検索するかを登録する検索条件登録手段を備えることを特徴とする請求項１に記載の文書サーバ。
【請求項３】
ユーザから文書中の語句の指定を受け付ける語句指定手段と、
前記語句指定手段により指定された語句の類語情報を、分類構造のそれぞれ異なる類語辞書を使用して検索する第１の検索手段と、
前記指定された語句と前記類語情報とに付加するタグの指定を受け付け、ユーザ別のタグ定義ファイルとして保持する第１の保持手段と、
前記指定された語句と前記類語情報とに付加するタグの表示形式を表すタグの体裁の指定を受け付け、ユーザ別の表示スタイルファイルとして保存する第２の保持手段と、
を具備することを特徴とする文書サーバ。
【請求項４】
ユーザから文書中の語句の指定を受け付ける語句指定手段と、
前記語句指定手段により指定された語句の類語情報を、分類構造のそれぞれ異なる類語辞書を使用して検索する第１の検索手段と、
前記指定された語句と前記類語情報とに付加するタグの指定を受け付け、ユーザ別のタグ定義ファイルとして保持する第１の保持手段と、
前記指定された語句と前記類語情報とに付加するタグの表示形式を表すタグの体裁の指定を受け付け、ユーザ別の表示スタイルファイルとして保存する第２の保持手段と、
ユーザからの検索要求に応じて、前記文書、該ユーザの指定した文書、またはデータベースに保存される文書から、該ユーザ用の前記タグ定義ファイルに保持された語句または類語を検索する第２の検索手段と、
前記第２の検索手段によって検索された語句または類語に対して、該ユーザ用の前記タグ定義ファイルによって指定されるタグを付加したタグ付け文書を生成するタグ付け文書生成手段と、
前記タグ付け文書のタグ付けされた語句または類語を前記ユーザ用の前記表示スタイルファイルによって指定される体裁に従って表示させる表示手段と、
を具備することを特徴とする文書サーバ。
【請求項５】
前記文書はテキストデータまたは、画像を有することを特徴とする請求項１、請求項３、または請求項４に記載の文書サーバ。
【請求項６】
前記表示スタイルファイルにて定義されるタグの体裁は、文字の色の指定、文字の大きさの指定、フォントの指定、語句に対する参照リンクの挿入指定、語句に対する画像の挿入指定、語句に対する参照データのＵＲＬ指定、及び表示端末の種類の指定のうち少なくともいずれか一つを含むことを特徴とする請求項１に記載の文書サーバ。
【請求項７】
ユーザ側の端末機と文書サーバとがネットワークで接続された文書加工システムであって、
前記文書サーバは、
ユーザから文書中の語句の指定を受け付ける語句指定手段と、
前記語句指定手段により指定された語句の類語情報を、分類構造のそれぞれ異なる類語辞書を使用して検索する第１の検索手段と、
前記指定された語句と前記類語情報とに付加するタグの指定を受け付け、ユーザ別のタグ定義ファイルとして保持する保持手段と、
ユーザからの検索要求に応じて、前記文書、該ユーザの指定した文書、またはデータベースに保存される文書から、該ユーザ用の前記タグ定義ファイルに保持された語句または類語を検索する第２の検索手段と、
前記第２の検索手段によって検索された語句または類語に対して、該ユーザ用の前記タグ定義ファイルによって指定されるタグを付加したタグ付け文書を生成するタグ付け文書生成手段と、
を具備することを特徴とする文書加工システム。
【請求項８】
ユーザ側の端末機と文書サーバとがネットワークで接続された文書加工システムであって、
前記文書サーバは、
ユーザから文書中の語句の指定を受け付ける語句指定手段と、
前記語句指定手段により指定された語句の類語情報を、分類構造のそれぞれ異なる類語辞書を使用して検索する第１の検索手段と、
前記指定された語句と前記類語情報とに付加するタグの指定を受け付け、ユーザ別のタグ定義ファイルとして保持する第１の保持手段と、
前記指定された語句と前記類語情報とに付加するタグの表示形式を表すタグの体裁の指定を受け付け、ユーザ別の表示スタイルファイルとして保存する第２の保持手段と、
を具備することを特徴とする文書加工システム。
【請求項９】
ユーザ側の端末機と文書サーバとがネットワークで接続された文書加工システムであって、
前記文書サーバは、
ユーザから文書中の語句の指定を受け付ける語句指定手段と、
前記語句指定手段により指定された語句の類語情報を、分類構造のそれぞれ異なる類語辞書を使用して検索する第１の検索手段と、
前記指定された語句と前記類語情報とに付加するタグの指定を受け付け、ユーザ別のタグ定義ファイルとして保持する第１の保持手段と、
前記指定された語句と前記類語情報とに付加するタグの表示形式を表すタグの体裁の指定を受け付け、ユーザ別の表示スタイルファイルとして保存する第２の保持手段と、
ユーザからの検索要求に応じて、前記文書、該ユーザの指定した文書、またはデータベースに保存される文書から、該ユーザ用の前記タグ定義ファイルに保持された語句または類語を検索する第２の検索手段と、
前記第２の検索手段によって検索された語句または類語に対して、該ユーザ用の前記タグ定義ファイルによって指定されるタグを付加したタグ付け文書を生成するタグ付け文書生成手段と、
前記タグ付け文書のタグ付けされた語句または類語を前記ユーザ用の前記表示スタイルファイルによって指定される体裁に従って表示させる表示手段と、
を具備することを特徴とする文書加工システム。
【請求項１０】
コンピュータにより読み取り可能なプログラムを記録した記録媒体であって、
ユーザから文書中の語句の指定を受け付ける語句指定ステップと、
指定された語句の類語情報を、分類構造のそれぞれ異なる類語辞書を使用して検索する第１の検索ステップと、
前記指定された語句と前記類語情報とに付加するタグの指定を受け付け、ユーザ別のタグ定義ファイルとして保持する保持ステップと、
ユーザからの検索要求に応じて、前記文書、該ユーザの指定した文書、またはデータベースに保存される文書から、該ユーザ用の前記タグ定義ファイルに保持された語句または類語を検索する第２の検索ステップと、
検索された語句または類語に対して、該ユーザ用の前記タグ定義ファイルによって指定されるタグを付加したタグ付け文書を生成するタグ付け文書生成ステップと、
を含むことを特徴とするプログラムを記録した記憶媒体。
【請求項１１】
コンピュータにより読み取り可能なプログラムを記録した記録媒体であって、
ユーザから文書中の語句の指定を受け付ける語句指定ステップと、
指定された語句の類語情報を、分類構造のそれぞれ異なる類語辞書を使用して検索する第１の検索ステップと、
前記指定された語句と前記類語情報とに付加するタグの指定を受け付け、ユーザ別のタグ定義ファイルとして保持する第１の保持ステップと、
前記指定された語句と前記類語情報とに付加するタグの表示形式を表すタグの体裁の指定を受け付け、ユーザ別の表示スタイルファイルとして保存する第２の保持ステップと、
を含むことを特徴とするプログラムを記録した記憶媒体。
【請求項１２】
コンピュータにより読み取り可能なプログラムを記録した記録媒体であって、
ユーザから文書中の語句の指定を受け付ける語句指定ステップと、
指定された語句の類語情報を、分類構造のそれぞれ異なる類語辞書を使用して検索する第１の検索ステップと、
前記指定された語句と前記類語情報とに付加するタグの指定を受け付け、ユーザ別のタグ定義ファイルとして保持する第１の保持ステップと、
前記指定された語句と前記類語情報とに付加するタグの表示形式を表すタグの体裁の指定を受け付け、ユーザ別の表示スタイルファイルとして保存する第２の保持ステップと、
ユーザからの検索要求に応じて、前記文書、該ユーザの指定した文書、またはデータベースに保存される文書から、該ユーザ用の前記タグ定義ファイルに保持された語句または類語を検索する第２の検索ステップと、
前記第２の検索ステップによって検索された語句または類語に対して、該ユーザ用の前記タグ定義ファイルによって指定されるタグを付加したタグ付け文書を生成するタグ付け文書生成ステップと、
前記タグ付け文書のタグ付けされた語句または類語を前記ユーザ用の前記表示スタイルファイルによって指定される体裁に従って表示させる表示ステップと、
を含むことを特徴とするプログラムを記録した記憶媒体。
【発明の詳細な説明】
【０００１】
【発明の属する技術分野】
本発明は、文書加工システム、文書サーバ及び記録媒体に関するものである。
【０００２】
【従来の技術】
昨今、インターネット等のネットワークおよびパーソナルコンピュータ、携帯型情報端末機、デジタルＴＶ等の情報端末機の普及により、インターネットを介して、ユーザ側のコンピュータからサーバをアクセスし、文書データベース内の文書等を検索、利用するシステムが存在する。
また、登録型ないしはサーチロボットによる事前探索による固定ないしは関連語によるキーワードリスティングで検索候補文書全体の存在を知らせるシステムが存在する。
【０００３】
【発明が解決しようとする課題】
文書サーバを利用して文書データベース内の文書を検索、利用する際、ユーザは、自分の関心のある文書だけを検索したり、そのような文書を保存したいという要望がある。また、自分の知りたかった事項を検索された文中からその箇所にすばやくたどりつきたいという要望がある。
【０００４】
本発明はこのような問題に鑑みてなされたもので、その目的とするところは、ユーザ自身に関心のある文書を容易に検索できる文書加工システムとサービスを提供することにある。
【０００５】
【課題を解決するための手段】
前述した目的を達成するために第1の発明は、ユーザから文書中の語句の指定を受け付ける語句指定手段と、前記語句指定手段により指定された語句の類語情報を、分類構造のそれぞれ異なる類語辞書を使用して検索する第１の検索手段と、前記指定された語句と前記類語情報とに付加するタグの指定を受け付け、ユーザ別のタグ定義ファイルとして保持する保持手段と、ユーザからの検索要求に応じて、前記文書、該ユーザの指定した文書、またはデータベースに保存される文書から、該ユーザ用の前記タグ定義ファイルに保持された語句または類語を検索する第２の検索手段と、前記第２の検索手段によって検索された語句または類語に対して、該ユーザ用の前記タグ定義ファイルによって指定されるタグを付加したタグ付け文書を生成するタグ付け文書生成手段と、を具備することを特徴とする文書サーバである。
【０００６】
第１の発明では、ユーザが文書中の語句を指定すると、指定された語句の類語情報が、分類構造のそれぞれ異なる類語辞書を使用して検索される。また、指定された語句と類語情報とに付加するタグを指定すると、ユーザ別のタグ定義ファイルとして保持される。更に、ユーザからの検索要求に応じて、前記文書、該ユーザの指定した文書、またはデータベースに保存される文書から、該ユーザ用の前記タグ定義ファイルに保持された語句または類語が検索され、該ユーザ用の前記タグ定義ファイルによって指定されたタグが付加されたタグ付け文書が生成される。
【０００７】
また、第２の発明は、ユーザから文書中の語句の指定を受け付ける語句指定手段と、前記語句指定手段により指定された語句の類語情報を、分類構造のそれぞれ異なる類語辞書を使用して検索する第１の検索手段と、前記指定された語句と前記類語情報とに付加するタグの指定を受け付け、ユーザ別のタグ定義ファイルとして保持する第１の保持手段と、前記指定された語句と前記類語情報とに付加するタグの表示形式を表すタグの体裁の指定を受け付け、ユーザ別の表示スタイルファイルとして保存する第２の保持手段と、を具備することを特徴とする文書サーバである。
【０００８】
第２の発明では、ユーザが文書中の語句を指定すると、指定された語句の類語情報が、分類構造のそれぞれ異なる類語辞書を使用して検索される。また、指定された語句と類語情報とに付加するタグを指定すると、ユーザ別のタグ定義ファイルとして保持される。更に、指定された語句と前記類語情報とに付加するタグの表示形式を表すタグの体裁を指定すると、ユーザ別の表示スタイルファイルとして保存される。
【０００９】
また、第３の発明は、ユーザから文書中の語句の指定を受け付ける語句指定手段と、前記語句指定手段により指定された語句の類語情報を、分類構造のそれぞれ異なる類語辞書を使用して検索する第１の検索手段と、前記指定された語句と前記類語情報とに付加するタグの指定を受け付け、ユーザ別のタグ定義ファイルとして保持する第１の保持手段と、前記指定された語句と前記類語情報とに付加するタグの表示形式を表すタグの体裁の指定を受け付け、ユーザ別の表示スタイルファイルとして保存する第２の保持手段と、ユーザからの検索要求に応じて、前記文書、該ユーザの指定した文書、またはデータベースに保存される文書から、該ユーザ用の前記タグ定義ファイルに保持された語句または類語を検索する第２の検索手段と、前記第２の検索手段によって検索された語句または類語に対して、該ユーザ用の前記タグ定義ファイルによって指定されるタグを付加したタグ付け文書を生成するタグ付け文書生成手段と、前記タグ付け文書のタグ付けされた語句または類語を前記ユーザ用の前記表示スタイルファイルによって指定される体裁に従って表示させる表示手段と、を具備することを特徴とする文書サーバである。
【００１０】
第３の発明では、第２の発明によって保持されたユーザ別のタグ定義ファイルやユーザ別の表示スタイルファイルを用いて、ユーザからの検索要求に応じて、前記文書、該ユーザの指定した文書、またはデータベースに保存される文書から、ユーザが指定した語句またはその類語が検索され、検索された語句または類語に対して、該ユーザ用に所定の体裁でタグ付けされたタグ付け文書が生成される。
【００１１】
【発明の実施の形態】
以下、図面に基づいて本発明の実施の形態を詳細に説明する。図１、図２は、本実施の形態に係る文書加工システム１の概略構成を示す図である。図１、図２に示すように、文書加工システム１は、ユーザ２−１、２−２、…、ネットワーク（インターネット）６、文書サーバ７等からなる。文書サーバ７は、サーバコンピュータ８、文書・画像データベース９、ユーザ情報データベース１０等から構成される。ユーザ２−１、２−２、…は、それぞれパーソナルコンピュータ３−１、３−２、…、携帯ツール４−１、４−２、…、デジタルＴＶ５−１、５−２、…等の情報端末機を有する。携帯ツール４−１，４−２、…は、インターネット等につながる携帯電話機、ＰＨＳ、等の表示手段を有する携帯型情報端末機である。
【００１２】
サーバコンピュータ８は、文書・画像データベース９内の文書に対して、語句へのタグ付け処理を行い、ユーザ情報データベース１０にユーザ情報を格納し、加工しタグ付けしたＸＭＬ形式のタグ付け文書１８を生成する。
【００１３】
文書・画像データベース９は、文書１１、画像データ１２を保持する。ユーザ情報データベース１０には、各ユーザ２−１、２−２、…毎に、ユーザ用プロファイル１３−１、１３−２、…、ＸＭＬ形式のタグ定義ファイル１４−１、１４−２、…、ＸＭＬ形式の表示スタイルファイル１５ａ−１、１５ｂ−１、１５ｃ−１、１５ａ−２、１５ｂ−２、１５ｃ−２、…、および各ユーザ２用のタグ付け文書１８−１、１８−２、…を有する。
【００１４】
ユーザ用プロファイル１３−１、１３−２、…は、氏名、ＩＤ，パスワード、履歴等のユーザ管理情報を保持する。タグ定義ファイル１４−１、１４−２、…は、各タグの選択語句、語句を含む類語情報、タグ名および類語の範囲を示す検索条件等のタグ情報を保持する。表示スタイルファイル１５ａ−１、１５ｂ−１、１５ｃ−１、１５ａ−２、１５ｂ−２、１５ｃ−２、…は、情報端末機であるパーソナルコンピュータ３−１、３−２、…、携帯ツール４−１、４−２、…、デジタルＴＶ５−１、５−２、…毎にそれぞれタグの体裁情報を保持する。例えば、表示スタイルファイル１５ａ−１は、パーソナルコンピュータ３−１に対するタグの体裁情報を保持し、表示スタイルファイル１５ｂ−１は、携帯ツール４−１に対するタグの体裁情報を保持し、表示スタイルファイル１５ｃ−１は、デジタルＴＶ５−１に対するタグの体裁情報を保持する。
【００１５】
また、ユーザ２−１のユーザ用プロファイル１３−１からタグ定義ファイル１４−１がリンクされ、タグ定義ファイル１４−１からそれぞれパーソナルコンピュータ３−１用の表示スタイルファイル１５ａ−１、携帯ツール４−１用の表示スタイルファイル１５ｂ−１、デジタルＴＶ５−１用の表示スタイルファイル１５ｃ−１にリンクされる。
【００１６】
図３、図４は、文書加工システム１の全体の流れを示す。図３、図４に示すように、メニュダイアログによる入出力処理２２０を介して、ユーザ２と文書サーバ７との間で、文書のタグ付け加工処理を行う。
【００１７】
図３、図４に示すように、まず、ユーザ２が文書サーバ７をアクセスすると、表示されるメニュダイアログによりユーザ２がタグ付けしたい文書、画像を指定し（ステップ２０１）、文書サーバ７は、文書・画像データベース９を検索して、該当する文書１１を表示する（ステップ３０１）。
【００１８】
次に、ユーザ２がタグ付け対象語句やその類語への意味付けキーワードを指定する（ステップ２０２）。文書サーバ７は、類語辞書１６を検索して、類語情報を展開、表示する（ステップ３０２）。尚、類語辞書１６は、検索範囲を広げ、絞込みの精度を高める出自または分類構造の異なる類語辞書を使用する。
【００１９】
表示された類語情報から、ユーザ２がタグ付け対象語句と同一タグとする類語情報を選択し、タグ名とタグへの体裁（表示方法等）を指定する（ステップ２０３）。文書サーバ７は、同一タグとなる対象語句および類語情報を含む候補グループを設定し、挿入するタグ名、タグへの体裁等を設定する（ステップ３０３）。指定されたタグ定義情報を格納するＸＭＬ形式のタグ定義ファイル１４およびタグへの体裁情報を格納するＸＭＬ形式の表示スタイルファイル１５ａ、１５ｂ、１５ｃを生成する（ステップ３０４）。
【００２０】
文書サーバ７は、タグ定義ファイル１４、表示スタイルファイル１５ａ、１５ｂ、１５ｃを参照し、文書内に含まれる候補グループ内の語句を検索し、タグを挿入し（ステップ３０５）、タグ付け文書１８を生成する。そして、ユーザ２へタグ付け文書１８を提示する（ステップ２０４）。また、必要に応じて、ＸＭＬ形式のタグ付け文書１８を保存する（ステップ３０６）。
【００２１】
次に、語句へのタグ付け処理を更に詳細に説明をする。図５は、語句へのタグ付け処理のフローチャートである。図６、図７は、語句へのタグ付けメニュダイアログ３１、３２を示す。
【００２２】
図５、図６に示すように、まず、ユーザ２が、タグ付けメニュダイアログ３１の文書・画像検索の質問応答部３２でタグ付けしたい文書のＵＲＬ情報または検索キーワードを入力する（ステップ４０１、ステップ２０１）。
【００２３】
文書サーバ７は、入力されたＵＲＬ情報または検索キーワードから、文書・画像データベース１０の文書１１、画像データ１２を検索する（ステップ４０２）。
【００２４】
タグ付けメニューダイアログ３１の検索された文書３３上に検索された文書の文書１１および画像データ１２が表示される（ステップ４０３、ステップ３０１）。表示されている文書１１からタグ付けする語句をカーソルで選択する（ステップ４０４、ステップ２０２）。例えば、図６に示すように、検索された文書３３で、語句３６−１（“ワイン”）、語句３６−２（“ボルドー”）、語句３６−３（“マルゴー”、図６には図示せず）、および画像３７を指定し、条件として「指定の語句とその類語」７１および「指定の画像データ」７２を入力する。
【００２５】
文書サーバ７は選択した語句を含む類語グループを類語辞書１６より検索し（ステップ４０５）、図７のダグ付けメニュダイアログ３２に示すように、タグ付け語句３６−１、３６−２、３６−３、…、類語情報３８−１、３８−２、…（グループ名、サンプル語、類語の数、選択した語句等）が表示される（ステップ４０６、ステップ３０２）。例えば、図７に示すように、選択した語句として、語句３６−１（“ワイン”）、語句３６−２（“ボルドー”）、…が表示され、選択した語句３６−１，３６−２、…が含まれる類語情報３８−１、３８−２、…（ワイン産地名、ワイン商品名、…）が表示される。類語情報３８として、グループ名、サンプル語、類語の数、類語の中に含まれる語句３６−１（“ワイン”）、語句３６−２（“ボルドー”）、語句３６−３（“マルゴー”）、…である選択語の数等が表示される。
【００２６】
選択ボタン３５で類語情報３８を選択する（ステップ４０７）。例えば、類語情報として、類語情報３８−１（ワイン産地名）と類語情報３８−２（ワイン商品名）を同一タグとして選択する。
【００２７】
次に、選択した類語情報３８の範囲を表す検索条件３９を指定する。検索条件３９−１は、選択した類語情報３８のＯＲ集合の全語を登録する。検索条件３９−２は、選択した類語情報３８のＡＮＤ集合の全語を登録する。検索条件３９−３は、個別の語を表示・選択する。検索条件３９−４は、選択語のみ登録する。
例えば、同一タグとして選択した類語情報３８−１、３８−２に対して検索条件３９−２を選択する。これは、類語情報３８−１（ワイン産地名）と類語情報３８−２（ワイン商品名）のＡＮＤ集合の全語を登録する。
【００２８】
次に、タグ名１７を入力する（ステップ４０８、ステップ２０３）。例えば、タグ名１７として“ワイン関連語”を入力する。タグ名１７（ワイン関連語）として、選択した語句３６−１（“ワイン”）、語句３６−２（“ボルドー”）、語句３６−３（“マルゴー”）、およびその類語情報３８−１（ワイン産地名）と類語情報３８−２（ワイン商品名）のＡＮＤ集合の範囲の語が登録される。
【００２９】
図８は、その他文書へのタグ付け処理を示す。複数の文書をリンクしてタグ付け処理を行う場合、その他文書へのタグ付け４１のメニュダイアログに示すように、その他の文書のデータ種類を選択しファイル名４３、同一タグとするタグ名１７等を入力する。
【００３０】
次に、タグ付け処理により生成したタグへの体裁指定について詳細に説明する。タグに対する体裁指定とは、タグで囲まれた用語の表示方法を指定する。図９は、タグへの体裁指定を示す。図９に示すように、体裁指定メニュ５０で、各タグに対して文字の色５１、文字の大きさ５２、フォント５３、画像の挿入５４、参照リンクの挿入５５、参照データのＵＲＬ５６、表示端末の種類５７等の体裁加工指定を行う。
【００３１】
文字の色５１は、タグの文字の色を指定する。例えば、タグ名１７（ワイン関連語）の文字の色５１にフランスの国旗の色である白、赤、青を指定すると、タグ付け文書１８内のタグ名１７（ワイン関連語）で囲まれた用語をフランスの国旗の色である白、赤、青で表示させる。
【００３２】
文字の大きさ５２は、文字のフォントサイズを指定する。文字のフォント５３は明朝体、ゴシック体等の文字のスタイルを指定する。
【００３３】
画像の挿入５４は、タグをクリックすることにより、画面上に表示させる画像を指定する。例えば、タグ名１７（ワイン関連語）にワインボトルの画像を挿入するように指定しておくと、タグ付け文書１８内のタグ１７（ワイン関連語）で囲まれた用語をクリックすると、画面上にワインボトルが表示される。
【００３４】
参照リンクの挿入５５は、タグをクリックすることにより、移行する所定ホームページアドレスを指定する。参照データのＵＲＬ５６は、タグから参照したいデータのＵＲＬを指定する。表示端末の種類５７は、ユーザ２が表示させたい端末の種類（パーソナルコンピュータ３、携帯ツール４、デジタルＴＶ５等）を指定する。
【００３５】
表示スタイルファイル（ＸＳＬ）１５への変換ルール５８に基づいて、指定された文字の色５１、文字の大きさ５２、フォント５３、画像の挿入５４、参照リンクの挿入５５、参照データのＵＲＬ５６、表示端末の種類５７等の各体裁情報を変換し、タグの体裁情報を格納したＸＭＬ形式の表示スタイルファイル（ＸＳＬ）１５ａ、１５ｂ、１５ｃを生成する。
【００３６】
このようにして、例えば、ユーザ２−１は自分用の表示スタイルファイル１５ａ−１、１５ｂ−１、１５ｃ−１を生成する。即ち、各ユーザ２は、文書サーバ７に自分用のタグ付け文書１８や表示スタイルファイル１５を生成する。
【００３７】
例えば、ユーザ２−１がパーソナルコンピュータ３−１を用いてタグ付け文書１８−１を閲覧しようとする場合、サーバコンピュータ８はパーソナルコンピュータ用表示スタイルファイル１５ａ−１を選択し、タグ付け文書１８−１をパーソナルコンピュータ用表示スタイルファイル１５ａ−１を用いて表示させるので、タグ付け文書１８−１が表示される（図９、ステップ５９）。
【００３８】
この際、各タグは、文字の色５１、文字の大きさ５２等で指定された体裁で表示される。
【００３９】
また、ユーザ２−１が携帯ツール４−１を用いてタグ付け文書１８−１を閲覧しようとする場合、サーバコンピュータ８は携帯ツール用表示スタイルファイル１５ｂ−１を選択し、タグ付け文書１８−１を携帯ツール用表示スタイルファイル１５ｂ−１を用いて表示させる。
【００４０】
以上説明したように、本実施の形態によれば、文書サーバ７内の文書１１、画像データ１２に対して、特定の語句、画像あるいは類語グループに対して、好みのタグ名とタグへの表示方法である体裁を指定し、ユーザ専用のＸＭＬ形式のプロファイル１３、タグ定義ファイル１４、表示スタイルファイル１５を作成し、文書１１にタグ付けしたタグ付け文書１８を生成することにより、文書１１の語句あるいはその類語に対して、好みのタグをつけて、保存を行うことができる。
【００４１】
即ち、ユーザ２−１は、自分の関心のある文書の関心のある語句に対してタグを付けて保存する。これは、ユーザ２−１が新聞記事等をスクラップし、関心のある部分に赤線等を付けることに相当する。
【００４２】
更に，表示スタイルファイル１５をパーソナルコンピュータ３、携帯ツール４、デジタルＴＶ５等の媒体毎に有することにより、同じ文書を複数の媒体で閲覧できる。
【００４３】
このようにして、例えば、ユーザ２−１は、複数の雑誌等から所定の記事等を切り取り、タグを貼り付けてユーザ２−１用プロファイル１３−１にタグ付け文書１８−１として保存する。
【００４４】
次に、第２の実施の形態について説明する。第２の実施形態ではユーザ２が、予め、前述した方法で文書にタグ付け処理を行い、タグと検索条件をタグ定義ファイル１４に、タグの表示方法を表示スタイルファイル１５に保存しておき、タグ定義ファイル１４に格納された選択語や類語を有する文書を検索して、ユーザ２に提示するものであり、主として文書の検索のために用いられる。図１０は、予め保存したタグ定義ファイル１４、表示スタイルファイル１５に従って、タグを検索し、ユーザに提示する処理のフローチャートである。
【００４５】
図１０に示すように、前述したように、ユーザ２−１が文書にタグ付け処理を行い、タグとして選択した語句３６、類語情報３８、類語の範囲である検索条件３９、タグ名１７等を指定し、タグ定義ファイル１４−１に保存する（ステップ５０１）。また、タグの表示方法であるタグへの体裁を設定し、表示スタイルファイル１５−１に保存する（ステップ５０２）。
【００４６】
ユーザ２−１が所定の文書１１を指定すると、サーバコンピュータ８は、ユーザ２−１用のタグ定義ファイル１４−１を用いて、指定されたタグとして選択された語句３６と類語情報３８がその文書内にあるかどうか検索条件３９に従って検索し、ユーザ２−１個人用のタグを付け、タグ付け文書１８−１を生成する。
（ステップ５０３）。
【００４７】
また、サーバコンピュータ８が自動的に、例えば、新たに文書画像データベース９に保存される雑誌等の文書１１に対して、ユーザ２−１用のタグ定義ファイル１４−１を用いて、指定されたタグとして選択された語句３６と類語情報３８がその文書内にあるかどうか検索条件３９に従って検索し、ユーザ２−１個人用のタグを付け、タグ付け文書１８−１を生成する。（ステップ５０４）。
【００４８】
そして、表示スタイルファイル１５−１のタグの表示方法に従って、タグ付け文書１８−１をユーザ２−１に編集表示する（ステップ５０５）。
【００４９】
図１１は、文書１１−１、１１−２にタグ付け処理を行い生成したＸＭＬ形式のタグ付け文書１８−１を示す。図１１に示すように、ユーザ２−１は、前述の図６、図７で示した手順で見出し、節、タイトル、写真の分類、キーワードのしおり、メモの分類等をタグ名１７として登録し、タグ名（タグ）１７として選択した語句３６、その類語情報３８、および検索条件３９がタグ定義ファイル１４−１に予め保存されている（ステップ５０１、５０２）。
【００５０】
そして、例えば、文書画像データベース９に新たな文書１１−１、１１−２が保存される場合、文書サーバ７は、この文書１１−１、１１−２に対して、タグ定義ファイル１４−１を用いて検索を行い、その文書１１−１、１１−２に予めタグ定義ファイル１４−１に保存された語句３６や類語情報３８等と一致する用語が存在すれば、その用語にタグ付けする（ステップ５０４）。
【００５１】
更に、文書サーバ７は、表示スタイルファイル１５−１の表示方法で、ユーザ２−１のパーソナルコンピュータ３−１に表示させる。即ち、タグを付けられた用語は、青色や赤色等で他と区別されるようにして表示される。この為ユーザ２−１は、自分の関心のある語句やその類語を有する文書を容易に検索することができる。例えば、図１１に示すように、タグ名１７−２、１７−３等が赤色で表示される。
【００５２】
そして、ユーザ２−１は、「私の食いしん坊リスト」をタグ名１７−１＜タイトル＞で囲み、ＸＭＬ形式のタグ付け文書１８−１を生成し、保存することもできる。
【００５３】
尚、ステップ５０３に示すように、ユーザ２−１自身が文書１１−１、１１−２を指定して、前述したのと同様に語句の検索等を行うこともできる。
【００５４】
このように本実施の形態によれば、ユーザ２の関心のある語句やその類語を有する文書等を容易に検索することができる。
【００５５】
尚、タグ名１７は類語の範囲を指定する機能を有する。
【００５６】
例えば、「八海山」という名称は、山の名称、スキー場の名称、日本酒の名称として用いられることがある。「八海山」のタグ名を「日本酒」としている場合、ステップ５０３、５０４でサーバコンピュータ８が文書を検索する際、山の名称として「八海山」が使われている文書にはタグは付けられず、日本酒の名称として「八海山」が使われている文書にはタグが付けられる。このような判断は、サーバコンピュータ８がＡＩ（人工知能）等を用いて文脈等を解釈して行う。
【００５７】
また、ユーザ２と雑誌等の文書を提供する情報提供者との間でタグ付け処理等の文書加工を行う仲介会社を設け、ユーザ２あるいは情報提供者からの課金により、ユーザ２に文書加工サービスを提供することもできる。例えば、ユーザ２が、定期購読の雑誌等の文書に対して、一度、ユーザ２の必要な箇所だけを抽出し、好みの体裁や構造を与えることにより、その後、新たに雑誌等が発刊される度に、仲介会社のサーバコンピュータ８が自動的に同様の文書加工を行い、継続してユーザ２にダグ付け文書１８を提供することができる。尚、仲介会社は、ユーザ２に対しては、使用した類語辞書１６の階層、登録タグ数、検索対象サイト等に応じて課金する。また、仲介会社は、情報提供者（販売業者）に対して、販売金額に応じて課金することもできる。
【００５８】
以上説明したように、本実施の形態によれば、予め、文書サーバ７内の文書１１に対して、特定の語句あるいはその類語グループに対して、類語の範囲である検索条件、タグ名を指定し、ユーザ専用のＸＭＬ形式のタグ定義ファイル１４に保存しておき、新たな文書１１に対して、タグ定義ファイル１４を用いてタグを検索して、タグ付けしたタグ付け文書１８を生成することにより、文書サーバ７内の文書を検索・利用する際に、ユーザ２の関心のある語句やその類語を有する文書等を容易に検索することができる。
【００５９】
また、ユーザ側に保存しない場合でも、そのユーザ情報（タグ定義ファイル１４、表示スタイルファイル１５等）を保存しておくことにより、別の文書に対しても同様の文書加工を行うサービスが継続して提供できる。
【００６０】
また、文書サーバ７の処理を行うプログラムや、パーソナルコンピュータ３−１、携帯ツール４−１、デジタルＴＶ５−１等において、本発明の実施に必要なプログラムをＣＤ−ＲＯＭ等の記録媒体に保持させて流通させてもよいし、このプログラムを通信回線を介して送受することもできる。
【００６１】
また、前述した実施の形態は、文書１１と画像データ１２とを取り上げているが、この文書は、音声データを含んでもよい。
【００６２】
【発明の効果】
以上、詳細に説明したように本発明によれば、ユーザ自身に関心のある文書を容易に検索できる文書加工システムとサービスを提供することができる。
【図面の簡単な説明】
【図１】本発明の１実施の形態に係る文書加工システム１を示す図（その１）
【図２】本発明の１実施の形態に係る文書加工システム１を示す図（その２）
【図３】文書加工システム１の全体の流れを示す図（ユーザ２側）
【図４】文書加工システム１の全体の流れを示す図（文書サーバ７側）
【図５】語句へのタグ付け処理のフローチャート
【図６】語句へのタグ付けメニュダイアログ３１を示す図
【図７】語句へのタグ付けメニュダイアログ３２を示す図
【図８】その他文書へのタグ付け処理を示す図
【図９】タグへの体裁指定を示す図
【図１０】予め保存したタグ定義ファイル１４、表示スタイルファイル１５に従って、タグを検索しタグ付けを行う処理のフローチャート
【図１１】文書１１−１、１１−２にタグ付け処理を行い生成したＸＭＬ形式のタグ付け文書１８−１を示す図
【符号の説明】
１………文書加工システム
２………ユーザ
３………パーソナルコンピュータ
４………携帯ツール
５………デジタルＴＶ
６………ネットワーク
７………文書サーバ
８………サーバコンピュータ
９………文書・画像データベース
１０………ユーザ情報データベース
１１………文書
１２………画像データ
１３………ユーザ用プロファイル
１４………タグ定義ファイル
１５………表示スタイルファイル
１６………類語辞書
１７………タグ名（タグ）
１８………タグ付け文書
【図１】
0004573402.tif 000002
【図２】
0004573402.tif 000003
【図３】
0004573402.tif 000004
【図４】
0004573402.tif 000005
【図５】
0004573402.tif 000006
【図６】
0004573402.tif 000007
【図７】
0004573402.tif 000008
【図８】
0004573402.tif 000009
【図９】
0004573402.tif 000010
【図１０】
0004573402.tif 000011
【図１１】
0004573402.tif 000012